(57)【要約】【課題】市販又は汎用されている密閉ケースにおいて製品等を入れて圧縮できるとともに構造がコンパクトで、しかも、より安全性の高い空気抜き器具を提供する。【解決手段】この空気抜き器具１０を、本体Ａ１にスライド部材Ｂ１がスライド可能に組み合わせて構成し、ビニール袋１２に密着固定される第一の開口部１４と、吸引装置１６が取り付られる第二の開口部１８と、第一の開口部１４及び第二の開口部１８を通気可能とし得る中空部２０と、ビニール袋１２に密着固定した第一の開口部１４からビニール袋１２へ向かって突出して破砕開口部２２をビニール袋１２に形成する突刺部材２４と、第二の開口部１８から第一の開口部１４への空気の流れが規制される流入防止弁２６とを備えて構成した。【選択図】  図１
2004268941.tif 000002
【特許請求の範囲】
【請求項１】
密閉ケースに密着固定される第一の開口部と、吸引装置が取り付けられる第二の開口部と、該第一の開口部及び第二の開口部を通気可能とし得る中空部と、該密閉ケースに密着固定された第一の開口部から密閉ケースへ向かって突出して破砕開口部を形成する突刺部材と、該第二の開口部から第一の開口部への空気の流れが規制される流入防止弁とを備え、該第二の開口部に取り付けられた吸引装置を作動させて、該密閉ケース内の空気を該破砕開口部から該第一の開口部及び第二の側開口部を介して吸引する空気抜き器具であり、
前記流入防止弁が前記中空部内で開閉する空気抜き器具。
【請求項２】
前記突刺部材が前記突出する方向に突出移動又は後退移動し、該突刺部材及び前記流入防止弁が一体であって該流入防止弁が該突刺部材の突出移動又は後退移動に従って開閉する請求項１に記載する空気抜き器具。
【請求項３】
前記突刺部材の突出移動に従って前記流入防止弁が開き、該突刺部材の後退移動に従って該流入防止弁が閉じる請求項１又は請求項２に記載する空気抜き器具。
【請求項４】
前記流入防止弁が付勢力によって閉じる請求項１乃至請求項３のいずれかに記載する空気抜き器具。
【請求項５】
前記第一の開口部が両面テープによって前記密閉ケースに密着固定される請求項１乃至請求項４のいずれかに記載する空気抜き器具。
【請求項６】
密閉ケースに密着固定される第一の開口部と、圧入装置が取り付けられる第二の開口部と、該第一の開口部及び第二の開口部を通気可能とし得る中空部と、該密閉ケースに密着固定された第一の開口部から密閉ケースへ向かって突出して破砕開口部を形成する突刺部材と、該第一の開口部から第二の開口部への空気の流れが規制される流出防止弁とを備え、該第二の開口部に取り付けられた圧入装置を作動させて、空気を該第二の開口部から第一の開口部及び破砕開口部を介して該密閉ケース内に圧入する空気圧入器具であり、
前記流出防止弁が前記中空部内で開閉する空気圧入器具。
【発明の詳細な説明】
【０００１】
【発明の属する技術分野】
本発明は、袋等の密閉ケースから空気を抜くための空気抜き器具又は密閉ケース内に空気を圧入する空気圧入器具に関する。
【０００２】
【従来の技術】
従来から、布団等を少スペースで収納又は輸送するために布団等を入れた袋から空気を抜いて圧縮させる器具が案出されている（例えば、特許文献１参照。）。また、布団等を少スペースで収納するための逆止弁つき商品包装袋も案出されている（例えば、特許文献２参照。）。一方、袋内に入れた製品を保護して収納又は輸送するために製品を入れた袋に空気を入れて維持することが考えられる。しかし、市販又は汎用されている袋において圧縮又は膨張させることができるとともに構造がコンパクトなものは無かった。また、安全性をより向上させる必要がある。
【０００３】
【特許文献１】
特開平１０−１９４２３０
【特許文献２】
特開２００２−２９３３３４
【０００４】
【発明が解決しようとする課題】
そこで、本発明者は、このような課題の原因を究明してこのような課題を解決するべく、鋭意研究を重ねた結果、本発明に至ったのである。
【０００５】
すなわち、本発明は、市販又は汎用されている密閉ケースにおいて製品等を入れて圧縮又は膨張できるとともに構造がコンパクトで、しかも、より安全性の高い空気抜き器具又は空気圧入器具を提供することを目的とする。
【０００６】
【課題を解決するための手段】
本発明の空気抜き器具は、密閉ケースに密着固定される第一の開口部と、吸引装置が取り付けられる第二の開口部と、該第一の開口部及び第二の開口部を通気可能とし得る中空部と、該密閉ケースに密着固定された第一の開口部から密閉ケースへ向かって突出して破砕開口部を形成する突刺部材と、該第二の開口部から第一の開口部への空気の流れが規制される流入防止弁とを備え、該第二の開口部に取り付けられた吸引装置を作動させて、該密閉ケース内の空気を該破砕開口部から該第一の開口部及び第二の側開口部を介して吸引する空気抜き器具であり、前記流入防止弁が前記中空部内で開閉することを特徴とする。
【０００７】
また、本発明の空気抜き器具は、前記空気抜き器具において、前記突刺部材が前記突出する方向に突出移動又は後退移動し、該突刺部材及び前記流入防止弁が一体であって該流入防止弁が該突刺部材の突出移動又は後退移動に従って開閉することを特徴とする。
【０００８】
また、本発明の空気抜き器具は、前記空気抜き器具において、前記突刺部材の突出移動に従って前記流入防止弁が開き、該突刺部材の後退移動に従って該流入防止弁が閉じることを特徴とする。
【０００９】
また、本発明の空気抜き器具は、前記空気抜き器具において、前記流入防止弁が付勢力によって閉じることを特徴とする。
【００１０】
また、本発明の空気抜き器具は、前記空気抜き器具において、前記接着部が両面テープによって前記密閉ケースに密着固定されることを特徴とする。
【００１１】
また、本発明の空気圧入器具は、密閉ケースに密着固定される第一の開口部と、圧入装置が取り付けられる第二の開口部と、該第一の開口部及び第二の開口部を通気可能とし得る中空部と、該密閉ケースに密着固定された第一の開口部から密閉ケースへ向かって突出して破砕開口部を形成する突刺部材と、該第一の開口部から第二の開口部への空気の流れが規制される流出防止弁とを備え、該第二の開口部に取り付けられた圧入装置を作動させて、空気を該第二の開口部から第一の開口部及び破砕開口部を介して該密閉ケース内に圧入する空気圧入器具であり、前記流出防止弁が前記中空部内で開閉することを特徴とする。
【００１２】
【発明の実施の形態】
次に、本発明に係る空気抜き器具の実施の形態について、図面に基づいて詳しく説明する。
【００１３】
図１及び図２において、符号１０は、本発明の空気抜き器具である。この空気抜き器具１０は、本体Ａ１にスライド部材Ｂ１がスライド可能に組み合わされて構成され、ビニール袋（密閉ケース）１２に密着固定される第一の開口部１４と、吸引装置１６が取り付られる第二の開口部１８と、第一の開口部１４及び第二の開口部１８を通気可能とし得る中空部２０と、ビニール袋１２に密着固定した第一の開口部１４からビニール袋１２へ向かって突出して破砕開口部２２をビニール袋１２に形成する突刺部材２４と、第二の開口部１８から第一の開口部１４への空気の流れが規制される流入防止弁２６とを備えている。この空気抜き器具１０は、第二の開口部１８に取り付けた吸引装置１６を作動させて、ビニール袋１２内の空気を破砕開口部２２から第一の開口部１４及び第二の側開口部１８を介して吸引する空気抜き器具である。また、空気抜き器具１０は、流入防止弁２６が中空部２０内で開閉するように構成されている。
【００１４】
第一の開口部１４は、本体Ａ１の底壁２８に設けられ、周囲の接着部３０に両面テープ３２を付着してビニール袋１２に密着固定できるように構成されている。第二の開口部１８は、スライド部材Ｂ１の頭部３４に設けられ、吸引装置１６のノズル先端を挿入して吸引装置１６を取り付けるように構成されている。第一の開口部１４及び第二の開口部１８は、スライド部材Ｂ１が本体Ａ１に対して下へスライドした時に、本体Ａ１内の中空部２０及びスライド部材Ｂ１内の通気経路３６を介して通気できるように構成されている。
【００１５】
突刺部材２４は、スライド部材Ｂ１の下方の先端付近に設けられ、先端を鋭利な形状とすることにより、ビニール袋１２に突き刺して破砕開口部２２を設けることができるように構成されている。流入防止弁２６は、スライド部材Ｂ１の中間付近を円柱状に突出させて設けられている。流入防止弁２６は、通常、図１に示すように、バネ３８の上方向への付勢力によって本体Ａ１の上壁４０の下面に密着することにより閉じて、外の空気が通気経路３６及び中空部２０を介してビニール袋１２内へ流入するのを防止できる。一方、図２に示すように、吸入装置１６を第二の開口部１８に押し付けて押圧することにより、スライド部材Ｂ１が下へスライドして流入防止弁２６が下がり、中空部２０及び通気経路３６を介してビニール袋１２内の空気を吸引できる。すなわち、突刺部材２４及び流入防止弁２６が一体であって、流入防止弁２６の突出移動に従って流入防止弁２６が開き、突刺部材２４の後退移動に従って流入防止弁２６が閉じるように構成されている。
【００１６】
このような空気抜き器具１０の作動について以下に説明する。
【００１７】
例えば、製品をビニール袋１２に入れて輸送するために製品を入れたビニール袋１２から空気を抜く場合、まず、市販の両面テープ３２を用意して接着部３０に付着できるような円形又は多角形にカットして、カットした両面テープ３２の一面側の剥離紙を剥がして、その一面側を接着部３０に付着する。次に、両面テープ３２の他面側の剥離紙を剥がして、図１に示すように、その他面側をビニール袋１２の表面に付着する。よって、市販の両面テープを用いて第一の開口部１４をビニール袋１２に密着固定できる。
【００１８】
次に、吸引装置１６を第二の開口部１８に密接させて下へ押圧することにより、図２に示すように、スライド部材Ｂ１が下へスライドして、突刺部材２４がビニール袋１２に突き刺さり、ビニール袋１２に破砕開口部２２が形成される。破砕開口部２２が形成された状態で吸引装置１６を作動させることにより、ビニール袋１２内の空気が、破砕開口部２２から第一の開口部１４、中空部２０、通気経路３６及び第二の開口部１８を介して吸引装置１６内へ吸引され、所定時間経過後にビニール袋１２内の空気が略全て抜かれ、ビニール袋１２内が略真空状態となる。
【００１９】
次に、吸引装置１６を取り外すと、バネ３８の付勢力によってスライド部材Ｂ１が上昇して流入防止弁２６が上壁４０の下面に密着して、外の空気が通気経路３６から中空部２０内へ流入するのが防止される。これにより、空気抜き器具１０の密閉状態が維持され、外の空気がビニール袋１２内に流入するのが防止され、ビニール袋１２内の真空状態が維持される。このようにしてビニール袋１２内の真空状態が維持されて、ビニール袋１２内の製品が輸送される。
【００２０】
なお、接着部３０に付着する両面テープ３２の一面側の貼着力をビニール袋１２に付着する他面側の付着力よりも弱くしておき、ビニール袋１２内を真空状態にした後に、空気抜き器具１０をビニール袋１２から剥がすことにより、両面テープ３２がビニール袋１２に付着して残るように構成しても良い。この場合、他の図示しない密閉部材を両面テープ３２の一面側に付着してビニール袋１２の真空状態を維持できる。これにより、ビニール袋１２内に入れた製品等の酸化等による腐蝕を防止できる。
【００２１】
以上、本発明の一実施形態について説明したが、本発明の空気抜き器具は、その他の形態でも実施し得るものである。
【００２２】
例えば、図３に示すように、本体Ａ２内にスライド部材Ｂ２をスライド可能に内蔵して構成した空気抜き器具５０であっても良い。この空気抜き器具５０は、本体Ａ２に設けられた第一の開口部５２と、本体Ａ２に設けられた第二の開口部５４と、本体Ａ２に設けられた中空部５６と、スライド部材Ｂ２に設けられた突刺部材５８と、スライド部材Ｂ２に設けられた略球状の流入防止弁６０とを備えている。この空気抜き器具５０は、突刺部材５８がビニール袋１２に破砕開口部５７を設けるためには、第二の開口部５４から棒状部材を挿入してスライド部材Ｂ２を下へ押圧してスライドさせる。また、吸引装置１６を取り付けてビニール袋１２内の空気を吸引する時は、スライド部材Ｂ２が上へスライドするが凸部６２に当たって隙間６４が生じるため吸引経路が確保される。また、ビニール袋１２内を略真空状態にして吸引装置１６を取り外した後は、ビニール袋１２内と外部との圧力差によってスライド部材Ｂ２が下へスライドして流入防止弁６０が本体Ａ２の内面に密着し、空気の流入が防止される。
【００２３】
また、本発明は図４に示す空気抜き器具７０であっても良い。この空気抜き器具７０は、流入防止弁７２の他に、弾性体から成る補助的な流入防止弁７４が設けられている。この空気抜き器具７０は、スライド部材Ｂ３の頭部８２を下へ押圧することにより、突刺部材８４によってビニール袋１２に破砕開口部８６を設けることができる。また、この空気抜き器具７０は、図４に示すように、吸引装置のパイプ７６によって略全体が覆われるようにしてパイプ７６が底壁７８に密着された状態でビニール袋１２内の空気が吸引される。この時、流入防止弁７４が弾性的に湾曲して第二の開口部８０が開くことにより、第一の開口部７９及び第二の開口部８０を介して空気が吸引される。
【００２４】
また、本発明は図５に示す空気抜き器具９０であっても良い。この空気抜き器具９０において、ビニール袋１２に破砕開口部を設ける作動は空気抜き器具７０と同様である。吸引装置のパイプ７６によって略全体が覆われるようにしてビニール袋１２内の空気が吸引される作動も同様である。この時、流入防止弁９２が上へスライドして第一の開口部９４が開くことにより、ビニール袋１２内の空気が第一の開口部９４及び第二の開口部９６を介して吸引される。
【００２５】
また、本発明は図６に示す空気抜き器具１００であっても良い。この空気抜き器具１００において、ビニール袋１２に破砕開口部を設ける作動及びビニール袋１２内の空気が吸引される作動は空気抜き器具９０と同様である。但し、バネ１０２の付勢力によって突刺部材１０４がビニール袋１２へ向かって突出する作動が異なる。また、ビニール袋１２内の空気を吸引する時には、吸引力により流入防止弁９２がバネ１０２の付勢力に抗して上へスライドする。
【００２６】
また、本発明は図７に示す空気抜き器具１１０であっても良い。この空気抜き器具１１０は、流入防止弁１１２が円柱状であることを除き、構成及び作用は空気抜き器具１００と略同様である。
【００２７】
また、本発明は図８に示す空気抜き器具１２０であっても良い。この空気抜き器具１２０は、本体Ａ７に設けた第一の開口部１２２と、本体Ａ７に設けた第二の開口部１２４と、本体Ａ７に一体的に設けた突刺部材１２６と、本体Ａ７の内面に取り付けた流入防止弁１２８とを備えている。この空気抜き器具１２０によれば、両面テープ１３０によってビニール袋１２に付着することにより、突刺部材１２６がビニール袋１２に突き刺さって破砕開口部が形成される。
【００２８】
また、本発明は図９に示す空気抜き器具１４０であっても良い。この空気抜き器具１４０は、流入防止弁１４２が球状であることを除いて、その構成及び作用が空気抜き器具１２０と同様である。なお、流入防止弁１４２をバネの付勢力によって下へ押圧する構成であっても良い。
【００２９】
また、本発明は図１０に示す空気抜き器具１５０であっても良い。この空気抜き器具１５０は、突刺部材１５２がドリル形状となっていることを除いて、その構成及び作用が空気抜き器具７０と同様である。この空気抜き器具１５０は、頭部８２を回動させて突刺部材１５２を密閉ケース１５４に螺入することができるため、密閉ケース１５４が硬質部材又は肉厚の大きい部材から構成されていても破砕開口部を設けることができる。なお、硬質部材から構成される密閉ケース１５４とは、例えば、ポリタンク又は密閉缶等である。
【００３０】
次に、本発明に係る空気圧入器具の実施の形態について、図面に基づいて詳しく説明する。
【００３１】
図１１において、符号２００は本発明に係る空気圧入器具を示す。空気抜き器具２００は、ビニール袋（密閉ケース）２０２に密着固定される第一の開口部２０４と、図示しない圧入装置が取り付けられる第二の開口部２０６と、第一の開口部２０４及び第二の開口部２０６を通気可能とし得る中空部２０８と、ビニール袋２０２に密着固定された第一の開口部２０４からビニール袋２０２へ向かって突出して破砕開口部２１０を形成する突刺部材２１２と、第一の開口部２０４から第二の開口部２０６への空気の流れが規制される流出防止弁２１４とを備えている。この空気圧入器具２００は、第二の開口部２０６に取り付けられた圧入装置を作動させて、空気を第二の開口部２０６から第一の開口部２０４及び破砕開口部２１０を介してビニール袋２０２内に圧入するように構成されている。
【００３２】
この空気圧入器具２００は、両面テープ２１６によって第一の開口部２０４をビニール袋２０２に密着固定することにより、突刺部材２１２がビニール袋２０２に突き刺さって破砕開口部２１０が形成される。また、圧入装置を第一の開口部２０４に取り付けて圧入装置を作動させることにより、流出防止弁２１４が開いた状態で、空気が圧入装置からビニール袋２０２内へ圧入される。また、圧入装置を取り外すことにより、中空部２０８と外部との圧力差によって流出防止弁２１４が閉じてビニール袋２０２が密閉される。この空気抜き器具２００は、製品を入れたビニール袋２０２を膨らませてビニール袋２０２内の製品を保護するため等に使用する。
【００３３】
また、本発明は図１２に示す空気圧入器具２２０であっても良い。この空気圧入器具２２０は、流出防止弁２２２を球状に構成している。空気圧入器具２２０は、中空部２２４と外部との圧力差によって流出防止弁２２２が上へスライドして閉じることにより、ビニール袋２０２内の空気が漏れるのが防止される。
【００３４】
また、本発明は図１３に示す空気圧入器具２３０であっても良い。この空気圧入器具２３０は、球状の流出防止弁２３２及び突刺部材２３４がスライド部材Ｂ１２によって一体に構成されている。空気圧入器具２３０は、第二の開口部２３６から押圧部材等によってスライド部材Ｂ１２を下へ押圧することにより、破砕開口部２３８が形成される。
【００３５】
以上、本発明の実施形態について図面に基づいて説明したが、本発明の空気抜き器具及び空気圧入器具は、図示しない形態でも実施し得るものである。
【００３６】
例えば、本発明の空気抜き器具及び空気圧入器具に、吸引又は圧入する空気の流量、流速、又は圧力等を制御できる弁を設けても良い。また、空気抜き器具に、密閉ケース内を真空状態に維持している時の圧力を測定できる圧力計を設けても良い。また、空気圧入器具に、密閉ケース内に空気を圧入して維持している時の圧力を測定できる圧力計を設けても良い。
【００３７】
その他、本発明の技術的範囲には、その趣旨を逸脱しない範囲で当業者の知識に基づき種々なる改良，修正，変形を加えた態様も含まれる。また、同一の作用又は効果が生じる範囲内で、いずれかの発明特定事項を他の技術に置換した形態で実施しても良い。
【００３８】
【発明の効果】
本発明の空気抜き器具によれば、市販又は汎用されている密閉ケースに密着固定して密閉ケースから空気を抜いて維持することができる。また、本発明の空気圧入器具によれば、市販又は汎用されている密閉ケースに密着固定して密閉ケース内に空気を圧入して維持できる。このため、市販又は汎用されている密閉ケースにおいて圧縮又は膨張させることができる。さらに、本発明の空気抜き器具又は空気圧入器具によれば、流入防止弁又は流出防止弁が中空部内で開閉するため、外観上コンパクトに構成できる。また、これらの弁が人体の指等に接触することがないため、安全性を向上させることができる。
【００３９】
また、突刺部材及び流入防止弁若しくは流出防止弁が一体である本発明の空気抜き器具又は空気圧入器具によれば、コンパクトに構成することにより製造コストを低減できる。
【００４０】
また、流入防止弁が付勢力によって閉じる本発明の空気抜き器具によれば、密閉ケース内の空気を抜いて維持する時に、密閉ケースに孔等が生じても流入防止弁が開くことはない。すなわち、密閉ケースの内側と外側との圧力差によって流入防止弁を閉じる構成と異なり、孔等が生じて圧力差がなくなることにより流入防止弁が開いてしまうことがない。
【００４１】
また、両面テープによって密閉ケースに密着固定される本発明の空気抜き器具によれば、市販の両面テープを使用して密閉ケースに密着固定できる。
【図面の簡単な説明】
【図１】本発明の空気抜き器具を示す正面断面図である。
【図２】図１の空気抜き器具の作用を示す正面断面図である。
【図３】本発明の空気抜き器具の他の実施形態を示す正面断面図である。
【図４】本発明の空気抜き器具の更に他の実施形態を示す正面断面図である。
【図５】本発明の空気抜き器具の更に他の実施形態を示す正面断面図である。
【図６】本発明の空気抜き器具の更に他の実施形態を示す正面断面図である。
【図７】本発明の空気抜き器具の更に他の実施形態を示す正面断面図である。
【図８】本発明の空気抜き器具の更に他の実施形態を示す正面断面図である。
【図９】本発明の空気抜き器具の更に他の実施形態を示す正面断面図である。
【図１０】本発明の空気抜き器具の更に他の実施形態を示す正面断面図である。
【図１１】本発明の空気圧入器具を示す正面断面図である。
【図１２】本発明の空気圧入器具の他の実施形態を示す正面断面図である。
【図１３】本発明の空気圧入器具の更に他の実施形態を示す正面断面図である。
【符号の説明】
１０、５０、７０、９０、１００、１１０、１２０、１４０、１５０：空気抜き器具
１２、２０２：ビニール袋（密閉ケース）
１４、５２、７９、９４、１２２、２０４：第一の開口部
１６：吸引装置
１８、５４、８０、９６、２０６、２３６：第二の開口部
２０、５６、２０８，２２４：中空部
２２、５７、８６、２１０，２３８：破砕開口部
２４、５８、８４、１０４、１２６，１５２：突刺部材
２６、６０、７２、９２、１１２、１２８、１４２、２１４、２２２，２３２：流入防止弁
３２、１３０、２１６：両面テープ
２００、２２０、２３０：空気圧入器具
２１４、２２２、２３２：流出防止弁
【図１】
2004268941.tif 000003
【図２】
2004268941.tif 000004
【図３】
2004268941.tif 000005
【図４】
2004268941.tif 000006
【図５】
2004268941.tif 000007
【図６】
2004268941.tif 000008
【図７】
2004268941.tif 000009
【図８】
2004268941.tif 000010
【図９】
2004268941.tif 000011
【図１０】
2004268941.tif 000012
【図１１】
2004268941.tif 000013
【図１２】
2004268941.tif 000014
【図１３】
2004268941.tif 000015